(57)【要約】【構成】男性性器に沿った形状で当該亀頭部は男性性器の亀頭部に沿った形状を備え且つ当該本体部は男性性器の本体部に沿った形状を備え当該亀頭部と当該本体部との境目には段差を有してなるコンド−ム。特に亀頭部内面を生体由来材料等からなる人工皮膚や人工粘膜により構成してなるコンド−ム。【効果】本質的なコンド−ムを提供でき、膣内疑似状態を作り出すことにより、男性にその装着感を感じさせないコンド−ムを提供できる。人の皮膚に近い人工粘膜又は人工皮膚を用いれば、更に装着による違和感を極力なくすことができ、特に亀頭部内面を生体由来材料等からなる人工皮膚や人工粘膜により構成すれば膣内疑似状態を作り出すことができる。【選択図】        図１
2007068849.tif 000002
【特許請求の範囲】
【請求項１】
男性性器に沿った形状のコンド−ムであって、当該亀頭部は男性性器の亀頭部に沿った形状を備え、且つ、当該本体部は男性性器の本体部に沿った形状を備え、当該亀頭部と当該本体部との境目には段差を有してなることを特徴とするコンド−ム。
【請求項２】
コンド−ムが、亀頭部内部に人工粘膜又は人工皮膚を有してなることを特徴とする、請求項１に記載のコンド−ム。
【請求項３】
コンド−ムが、生体由来材料及び／又は合成高分子材料からなる人工皮膚により構成されてなることを特徴とする、請求項１又は２に記載のコンド−ム。
【発明の詳細な説明】
【技術分野】
【０００１】
本発明は、コンド−ムに関し、特に、その使用に際して本来あるべき姿の本質的なコンド−ムであって、又、装着による違和感を極力なくすようにしてなる等の利点を有するコンド−ムに関するものである。
【背景技術】
【０００２】
コンド−ムは、主に、避妊具として、又、性行為感染防止具として使用され、世界中に普及してきているが、未だ、性感染症就中不特定多数の性行為によるエイズ（ＨＩＶ）は増加の傾向にあり、又、コンド−ムが日常生活で余り抵抗なく気軽に使用できる程には普及していないのが現状であり、その原因の一因は、コンドームの装着は、本来の快感を損なうということでその使用を嫌う人が多いこと等が考えられる。
又、従来のコンド−ムは、避妊即被せるというところから出発した為か、特にその亀頭部分の形状には余り考慮が払われていないのが現状である。
イギリスの研究者によれば、男性性器の亀頭部の形状は、男性独自の本能である播種本能と関連していることが実験により解明され、単に、女性の膣壁を刺激する為だけではなく、他のオス（男性）の精液を掻き出して自分の種を播く為の形状であることが実験により証明されている。
図５（Ａ）に従来例のコンドームの側面図を、又、同図（Ｂ）に従来例のコンドームの断面図を示すが、コンドーム１における液溜部２と開口縁部３との間の本体部４は、段差もなく、男性性器に単に被せるだけの形態しか有していない。
【発明の開示】
【発明が解決しようとする課題】
【０００３】
本発明は、上記従来技術の有する欠点を解消することができる新規の技術を提供することを目的としたものである。
本発明の他の目的や新規な特徴については本件明細書及び図面の記載からも明らかになるであろう。
【課題を解決するための手段】
【０００４】
本発明の特許請求の範囲は、次の通りである。
（請求項１）男性性器に沿った形状のコンド−ムであって、当該亀頭部は男性性器の亀頭部に沿った形状を備え、且つ、当該本体部は男性性器の本体部に沿った形状を備え、当該亀頭部と当該本体部との境目には段差を有してなることを特徴とするコンド−ム。
（請求項２）コンド−ムが、亀頭部内部に人工粘膜又は人工皮膚を有してなることを特徴とする、請求項１に記載のコンド−ム。
（請求項３）コンド−ムが、生体由来材料及び／又は合成高分子材料からなる人工皮膚により構成されてなることを特徴とする、請求項１又は２に記載のコンド−ム。
【発明の効果】
【０００５】
本願において開示される発明のうち代表的なものによって得られる効果を簡単に説明すれば、下記の通りである。
すなわち、本発明によれば、元々、靴下や靴やシャツなど身につけるものが身体の形状に即していることを考えるとやはりコンド−ムも亀頭の形状に合ったものが良いと考えられることから、本質的なコンド−ムを提供でき、膣内疑似状態を作り出すことにより、男性にその装着感を感じさせないコンド−ムを提供できる。又、女性から見ても、コンド−ムが男性性器に沿った形状等の形態を有しているので、実際はコンド−ムを装着しているのに、その装着感を感じさせない疑似状態を作り出すことができる。又、形状が男性性器に沿っている特に亀頭部が形状に沿い本体部との間で段差があるので、膣壁を大いに刺激されることになる。
又、本発明によれば、コンドームにおいて、人の皮膚に近い人工粘膜又は人工皮膚が使用されているので、膣内疑似状態を作り出し、装着による違和感を極力なくすことができる。
従って、本発明によれば、装着による違和感がなくなるので、その使用の増大が期待され、エイズや性感染症の低減に貢献することができる。
【発明を実施するための最良の形態】
【０００６】
図１（Ａ）は、本発明の実施例を示すコンドームの側面図、図１（Ｂ）は、同コンドームの装着例の説明図、図２は、本発明の実施例を示すコンドームの断面図、図３は、本発明の他の実施例を示すコンドームの断面図、図４は、本発明の更に他の実施例を示すコンドームの断面図である。
【実施例】
【０００７】
本発明のコンドーム１は、図１（Ｂ）に示すように、男性性器Ｍに沿った形状のコンド−ム１であって、当該亀頭部５は男性性器の亀頭部に沿った形状を備え、且つ、当該本体部６は男性性器の本体部に沿った形状を備え、当該亀頭部５と当該本体部６との境目には段差７を有し、当該亀頭部５と当該本体部６との間には斜行部８を有してなる。
【０００８】
本発明のコンドーム１は、その全体を、図３に示すように、従来のゴム材料などで構成してもよい。
上記のように、男性性器Ｍに沿った形状のコンド−ム１であって、その亀頭部５が男性性器の亀頭部に沿った形状を備え、且つ、その本体部６が男性性器の本体部に沿った形状を備え、当該亀頭部５と当該本体部６との境目には段差７を有し、当該亀頭部５と当該本体部６との間には斜行部８を有していれば、その全体を従来のゴム材料などで構成することができる。
【０００９】
本発明のコンドーム１は、従来のゴム材料などに代えて、人工粘膜又は人工皮膚により構成すると、装着の違和感などを極力なくすことができるので、好ましい。
コンドーム１の全体を人工粘膜又は人工皮膚により構成してもよいが、その一部を、人工粘膜又は人工皮膚により構成し、他の部分を、従前の材料から構成してもよい。更に、従前の材料層と人工粘膜又は人工皮膚層との重層（ラミネート）物としてもよい。
【００１０】
図２は、コンドーム１の全体を従来のゴム材料などで構成し、亀頭部５のみを従前の材料層と人工粘膜又は人工皮膚層との重層（ラミネート）物とし、亀頭部５の内面に人工粘膜又は人工皮膚層Ｐを有してなるように構成した例を示す。当該実施例は、装着による違和感に対する影響の大きな部分を人工粘膜又は人工皮膚層により構成したもので、装着による違和感を効率的に取り除くことが出来る。
【００１１】
図４は、前記実施例と同様に、亀頭部５を従前の材料層と人工粘膜又は人工皮膚層との重層（ラミネート）物とし、亀頭部５の内面に人工粘膜又は人工皮膚層Ｐを有してなるように構成してなると共に、亀頭冠の裏にあたる部分の当該人工粘膜又は人工皮膚層Ｐの上に、突起物９を設けて、滑り止め効果を持たせて「ずれ」ないようにしてある例を示す。
なお、図４は、外観側面図で、亀頭部５の内部には、人工粘膜又は人工皮膚層Ｐを有し、又、上記のように、亀頭部５の内部には、突起物９を設けてある。
【００１２】
本発明で使用される人工粘膜又は人工皮膚の概念について説明するに、当該人工粘膜（人工皮膚）は、人の場合、ひどい火傷などで皮膚の移植が必要な時に用いられ、人体に使用されても拒絶反応を起こさないようなものが使用される。
ここに、人の皮膚は、外側から「表皮・真皮・皮下組織」の３層から成り立っており、表皮の一番下にある「基底層」には、「基底細胞」と呼ばれる細胞が並び、常に細胞分裂を行って、新しい細胞を作っている。この場合、例えば、火傷で表皮だけが障害された場合は、基底細胞が残っているため、数日で新しい表皮が再生されるが、基底層まで障害されると、新しい皮膚はなかなか再生されず、特に、真皮の深くまで侵された「重症の火傷」では、皮膚再生が期待できない上に、細菌に感染したり、血液などの体液が体外に流出する危険がある。そこで、損なわれた部分に新しい皮膚を補う「皮膚移植」が必要になり、患者自身の健康な皮膚を移植する「自家移植」、他人の皮膚を移植する「同種移植」、そして、ブタの皮膚などを応急処置として移植する「異種移植」の３つが、通常、皮膚移植の方法として用いられている。この場合、自分の組織を使う自家移植は、拒絶反応がなく、スムーズに生着するので、皮膚移植のなかでは最適なのであるが、狭い面積しか切り取れないという欠点があり、そこで、自家移植の欠点をカバーする方法として登場してきたのが、「培養皮膚」と呼ばれる人工皮膚である。
ここに、「培養皮膚」とは、人の場合、患者の健康な細胞を採取し、それを増殖させてつくった人工皮膚であり、本人の細胞を使うため、拒絶反応がなく、自由な大きさの人工皮膚をつくることができる。 
従来は、健康な皮膚から細胞を採取して培養していたが、この方法は、葉書大の皮膚をつくるのに多大の日数がかかること、又、移植せずにいると皮膚細胞が死んで硬くなる（角化）という２つの欠点があり、そこで考え出されたのが、口の中などの「粘膜細胞」を増殖させて、人工皮膚をつくる方法で、粘膜細胞は、ある場所に移植されると、その場所の組織になじみ、そこの細胞として、姿や性格を変えて成長するという性質があり、従って、皮膚に移植すれば、皮膚細胞として成長する。しかも、粘膜細胞は増殖が早く、比較的に短い日数で、葉書大の人工皮膚ができ、通常は角化することがない。
【００１３】
上記は、自己皮膚で人体の細胞から得られるが、本発明で使用される人工粘膜又は人工皮膚には、当該人体の細胞から得られる自己皮膚を除く代用皮膚が使用される。
本発明で使用される人工粘膜又は人工皮膚の例としては、 生体由来材料及び／又は合成高分子材料からなる人工粘膜又は人工皮膚基材が挙げられる。
ここに、当該生体由来材料の例としては、コラーゲン、アテロコラーゲン、ゼラチン、フィブロネクチン、ラミニン、デルマタン硫酸、ヘパラン硫酸、コンドロイチン硫酸、ヒアルロン酸、ヘパリン、キチン、キサトン及びアルギン酸カルシウム等が挙げられる。
又、当該合成高分子材料の例としては、ナイロン、シリコーン樹脂、弗素樹脂、ポリカーボネート、ポリウレタン及びポリ塩化ビニル等が挙げられる。
当該人工皮膚基材は、フィルム、シート、不織布、スポンジ、マイクロ担体等の形態を呈していればよい。
当該人工皮膚（人工粘膜）基材は、生体由来材料を当該合成高分子材料にコートしたものでもよい。
当該人工皮膚基材は、例えば、上記コラーゲン等の生体由来材料をスポンジ状にして形成したり、生体由来材料及び／又は合成高分子材料の表面上に、表皮細胞や線維芽細胞といった皮膚細胞を培養してシート状に加工して製造することができる。得られた人工皮膚基材は、代用皮膚として使用するので、当該生体由来材料及び／又は合成高分子材料は、その生体に対する適合性を考慮して選択される。
当該人工皮膚基材は、その強度の補強のために、補強剤などを使用することもできる。
【００１４】
本発明に使用される従前の材料としては、天然ゴム、ポリウレタンなどが挙げられる。
【００１５】
本発明は、前記実施例に限定されず各種変更が可能である。例えば、構成材料に透明性の高いものを使用するようにするとよく、男性性器に沿った形状であると共に、透明であるので、コンド−ムの装着感を視覚的に低減できる。
【産業上の利用可能性】
【００１６】
本発明は、ゼリー塗布などの各種形態のコンドームに適用できる。
【図面の簡単な説明】
【００１７】
【図１】（Ａ）は、本発明の実施例を示すコンドームの側面図、（Ｂ）は、同コンドームの装着例の説明図である。
【図２】本発明の実施例を示すコンドームの断面図である。
【図３】本発明の他の実施例を示すコンドームの断面図である。
【図４】本発明の更に他の実施例を示すコンドームの側面図である。
【図５】（Ａ）は、従来例のコンドームの側面図、（Ｂ）は、同コンドームの断面図である。
【符号の説明】
【００１８】
１…コンドーム
２…液溜部人工粘膜又は人工皮膚
３…開口縁部
４…本体部
５…亀頭部
６…本体部
７…段差
８…斜行部
９…突起部
Ｍ…男性性器
Ｐ…人工粘膜又は人工皮膚層Ｐ
【図１】
2007068849.tif 000003
【図２】
2007068849.tif 000004
【図３】
2007068849.tif 000005
【図４】
2007068849.tif 000006
【図５】
2007068849.tif 000007